(57)【要約】      （修正有）【課題】頭皮をマッサージして頭部ストレスを緩和する頭部ストレス緩和機を提供する。【解決手段】本体１に挿入接続部１０が、挿入接続部に収容溝１１が、収容溝底面に穿刺針１２と複数の通孔１３が、本体底部に凹溝１４が、凹溝と収容溝の間にフローガイド室１５が設けられ、本体にグリップ１６が、グリップに震動器１７とスイッチ１８が設けられる。磁性部材２が本体下方に取り付けられて凹み空間２０が設けられ、底面にマッサージ凸柱２１が、各マッサージ凸柱内に凹み空間内に連通する通気孔２２が、凹み空間内面に各通気孔に連通する溝２３が設けられる。吸液綿体３が本体の凹溝と磁性部材の凹み空間内に設けられて穿孔３０が設けられ、フローガイド４がフローガイド室内に設けられ、吸液綿体上方に位置する。フローガイド上部に通孔４０が、フローガイドの内外壁面にフローガイド溝４１が設けられる。容器５が本体の収容溝内に設けられ、容器内にマッサージ液体が、容器壁面にシールガスケット５１が設けられる。【選択図】図１
0003229181.tif 000002
【実用新案登録請求の範囲】
【請求項１】
本体、磁性部材、吸液綿体、フローガイド及び容器が設けられ、
前記本体には挿入接続部が設けられ、前記挿入接続部には収容溝が設けられ、前記収容溝の底面には、穿刺針及び複数の通孔が設けられ、前記本体の底部には、凹溝が設けられ、前記凹溝と前記収容溝との間には、ホーン状のフローガイド室が設けられ、前記収容溝内の通孔は、前記フローガイド室に連通され、前記本体上にはグリップが設けられ、前記グリップには震動器が設けられ、前記グリップには、前記震動器と電気接続されたスイッチが設けられ、
前記磁性部材は、前記本体の下方に取り付けられ、前記磁性部材は、凹み空間が設けられ、前記磁性部材の底面には、複数のマッサージ凸柱が設けられ、各前記マッサージ凸柱内には、それぞれ前記凹み空間内に連通する通気孔が設けられ、前記凹み空間の内面には、各前記通気孔に連通する複数の溝が設けられ、
前記吸液綿体は、前記本体の凹溝と前記磁性部材の凹み空間内に設けられ、前記吸液綿体には、複数の穿孔が設けられ、
前記フローガイドは、前記本体のフローガイド室内に設けられ、前記吸液綿体の上方に位置し、前記フローガイドは、ホーン状を呈し、前記フローガイドの上部には、複数の通孔が設けられ、前記フローガイドの内、外壁面には、複数のフローガイド溝が設けられ、
前記容器は、前記本体の収容溝内に設けられ、前記容器内には、マッサージ液体が設けられ、前記容器の壁面には、シールガスケットが設けられる、頭部ストレス緩和機。
【考案の詳細な説明】
【技術分野】
【０００１】
本考案は、頭皮をマッサージし、頭部皮膚の神経系を活性化させることができる頭部ストレス緩和機に関する。
【背景技術】
【０００２】
現在、人々の生活はストレスが極めて大きく、多くの人々は脳を過度に使用し、それにより髪は白くなり、抜け落ち、神経が緊張する傾向があり、脳へのストレスを解消するために、通常手指で頭部の経穴と腱を押し、細胞の活力と脳の神経系を活性化し、大脳皮質の機能の調整の恩恵を受け、脳がストレスと緊張を迅速に緩和することを補助しているが、単に手指で頭部を押すストレス解消効果は限られ、且つマッサージ後に換わって手指が痛くなり、ストレス解消の効果を確実に達成することはできなくなっている。
【考案の概要】
【考案が解決しようとする課題】
【０００３】
本考案の目的は、頭皮をマッサージして頭部にストレス緩和効果を達成させることができる頭部ストレス緩和装置を提供することである。
【課題を解決するための手段】
【０００４】
本考案の頭部ストレス緩和装置は、本体、磁性部材、吸液綿体、フローガイド及び容器が設けられ、前記本体には挿入接続部が設けられ、前記挿入接続部には収容溝が設けられ、前記収容溝の底面には、穿刺針及び複数の通孔が設けられ、前記本体の底部には、凹溝が設けられ、前記凹溝と前記収容溝との間には、フローガイド室が設けられ、前記収容溝内の通孔は、前記フローガイド室に連通され、前記本体上にはグリップが設けられ、前記グリップには震動器が設けられ、前記グリップには、前記震動器と電気接続されたスイッチが設けられ、前記磁性部材は、前記本体の下方に取り付けられ、前記磁性部材は、凹み空間が設けられ、前記磁性部材の底面には、複数のマッサージ凸柱が設けられ、各前記マッサージ凸柱内には、それぞれ前記凹み空間内に連通する通気孔が設けられ、前記凹み空間の内面には、各前記通気孔に連通する複数の溝が設けられ、前記吸液綿体は、前記本体の凹溝と前記磁性部材の凹み空間内に設けられ、前記吸液綿体には、複数の穿孔が設けられ、前記フローガイドは、前記本体のフローガイド室内に設けられ、前記吸液綿体の上方に位置し、前記フローガイドの上部には、複数の通孔が設けられ、前記フローガイドの内、外壁面には、複数のフローガイド溝が設けられ、前記容器は、前記本体の収容溝内に設けられ、前記容器内には、マッサージ液体が設けられ、前記容器の壁面には、シールガスケットが設けられる。
【０００５】
本考案の頭部ストレス緩和機において、前記本体のフローガイド室は、ホーン状を呈し、前記フローガイドは、前記本体のフローガイド室に合わせてホーン状を呈する。
【考案の効果】
【０００６】
本考案の頭部ストレス緩和機の利点は、頭部ストレス緩和機を頭皮に近付け、頭皮に僅かに接触させ、吸液綿体を介してエッセンシャルオイル及び薬剤を吸収し、震動器の振動によって気化した後、磁性部材によって磁性エネルギーを発散し、頭部にストレス緩和の効果を達成させ、且つ頭部皮膚神経系を活性化させ、皮質機能を調整し、毛包を活性化し、脱毛を防ぎ、老化に抵抗することができることにある。
【図面の簡単な説明】
【０００７】
【図１】本考案の実施例の立体分解図である。
【図２】本考案の実施例の立体組み合わせ図である。
【図３】本考案の実施例の容器を刺し破る断面説明図である。
【図４】本考案の実施例の震動使用する説明図である。
【考案を実施するための形態】
【０００８】
上述の使用目的および効果を達成するために採用する技術的手段に関して、好ましい実施可能な実施例を挙げ、図面を合わせて、以下に説明する。
【０００９】
本考案の実施例は、図１〜図３を参照し、本体１、磁性部材２、吸液綿体３、フローガイド４及び容器５が設けられ、前記本体１には挿入接続部１０が設けられ、前記挿入接続部１０には収容溝１１が設けられ、前記収容溝１１の底面には、穿刺針１２及び複数の通孔１３が設けられ、前記本体１の底部には、凹溝１４が設けられ、前記凹溝１４と前記収容溝１１との間には、ホーン状のフローガイド室１５が設けられ、前記通孔１３は、前記フローガイド室１５に連通され、前記本体１上にはグリップ１６が設けられ、前記グリップ１６には震動器１７が設けられ、前記グリップ１６には、前記震動器１７と電気接続されたスイッチ１８が設けられ、前記磁性部材２は、前記本体１の下方に取り付けられ、前記磁性部材２は、凹み空間２０が設けられ、前記磁性部材２の底面には、複数のマッサージ凸柱２１が設けられ、各前記マッサージ凸柱２１内には、それぞれ前記凹み空間２０内に連通する通気孔２２が設けられ、前記凹み空間２０の内面には、各前記通気孔２２に連通する複数の溝２３が設けられ、前記吸液綿体３は、前記本体１の凹溝と前記磁性部材２の凹み空間２０内に設けられ、前記吸液綿体３には、複数の穿孔３０が設けられ、前記フローガイド４は、前記本体１のフローガイド室５内に設けられ、前記吸液綿体３の上方に位置し、前記フローガイド４は、前記本体１のフローガイド室１５に合わせてホーン状を呈し、前記フローガイド４の上部には、複数の通孔４０が設けられ、前記フローガイド４の内、外壁面には、複数のフローガイド溝４１が設けられ、前記容器５は、前記本体１の収容溝１１内に設けられ、前記容器５内には、マッサージエッセンシャルオイル又はマッサージ薬液等のマッサージ液体５０が設けられ、前記容器５の壁面には、シールガスケット５１が設けられ、このように、頭部ストレス緩和機となる。
【００１０】
組み立て時、図１〜図３に示すように、フローガイド４を本体１のフローガイド室１５に設置し、次に吸液綿体３を本体１の凹溝１４に設置し、吸液綿体３をフローガイド４の下方に位置させ、次に磁性部材２を本体１の底部に取り付け、吸液綿体３を磁性部材２の凹み空間２０に位置させ、容器５を本体１の収容溝１１内に取り付け、このようにして、全体の組み立てを完成することができる。
【００１１】
本考案の使用時、図３〜図４を参照し、容器５を本体１の収容溝１１に押し込み、収容溝１１の穿刺針１２に容器５の端部を突き破らせ（図３参照）、容器５を僅かに上に移動させ（図４参照）、容器５内のマッサージ液体５０を突き破られた部分から流出させ、マッサージ液体５０が本体１の通孔１３からフローガイド４に流れ、フローガイド４の各通孔４０と各フローガイド溝４１から下向きに吸液綿体３に流れ、前記吸液綿体３がマッサージ液体５０を吸った後、本体１のグリップ１６を手で持ち、磁性部材２のマッサージ凸柱２１を頭皮に寄せて僅かに接触させ、次にグリップ１６のスイッチ１８をオンにして、グリップ１６内の震動器１７に震動を発生させ、震動器１７の振動により、吸液綿体３内のマッサージ液体５０（マッサージエッセンシャルオイル又はマッサージ薬剤）に気化を生じさせ、気化したマッサージエッセンシャルオイルは、磁性部材２の通気孔２２から排出され、磁性部材２から磁気エネルギーを発散させ、本考案は、気化後のマッサージ液体５０及び磁性部材２が発散する磁性エネルギーによって、頭部の磁場を調整することができ、頭部皮膚神経系を活性化させ、頭部にストレス緩和の効果を達成させ、皮質機能を調整し、毛包を活性化し、脱毛を防ぎ、老化に抵抗することができる。
【００１２】
上記のように、本考案は、確かに予期する使用目的及び効果を達成しており、且つ従来に比較して更に理想、実用的であるが、上記実施例は、本考案の好適実施例に対して具体的説明を行っているのみであり、該実施例は、本考案の保護範囲を限定するためのものではなく、本考案の開示する技術手段から逸脱しない他の全ての均等の変更および修飾は、何れも本考案によってカバーされる保護範囲に含まれるべきである。
【符号の説明】
【００１３】
１  本体
１０  挿入接続部
１１  収容溝
１２  穿刺針
１３  通孔
１４  凹溝
１５  フローガイド室
１６  グリップ
１７  震動器
１８  スイッチ
２  磁性部材
２０  凹み空間
２１  マッサージ凸柱
２２  通気孔
２３  溝
３  吸液綿体
３０  穿孔
４  フローガイド
４０  通孔
４１  フローガイド溝
５  容器
５０  マッサージ液体
５１  シールガスケット
【図１】
0003229181.tif 000003
【図２】
0003229181.tif 000004
【図３】
0003229181.tif 000005
【図４】
0003229181.tif 000006